(57)【要約】【課題】自動車の固定窓の前端部を見栄え良好に前方へ延長するとともに、前方へ延びた窓ガラスの前端部の安定性を確保すること。【解決手段】フロントピラー１の下部とサイドボデー２との間に三角形状の窓ガラス４を嵌め込んだ自動車の固定窓３において、窓ガラス４の前端部４０をフロントピラー１およびサイドボデー２の後部上縁に沿って先細り状に前方へ延長せしめて、フロントピラー１の下端部１０よりも前方位置まで延ばす。サイドボデー２の上縁には、フロントピラー１の下端部１０よりも前側の位置に上方へ突出する嵩上げ部材６０を設けてこれに窓ガラス保持部材７を取付け、窓ガラス４の前端部４０を係止手段４４により窓ガラス保持部材７に係止保持せしめた。【選択図】        図１
2008285057.tif 000002
【特許請求の範囲】
【請求項１】
傾斜状で、下端部が下方へ向けて屈曲するフロントピラーと、サイドボデー後部の水平な上縁との間にほぼ三角形状の窓ガラスを嵌め込んだ固定窓を備えた自動車の固定窓構造において、
上記窓ガラスの前端部を、上記フロントピラーに沿って前方へ延びる傾斜上縁と上記サイドボデー後部の上縁に沿って前方へ延びる水平下縁とで先細り状に前方へ延出する形状に形成して上記前端部を上記フロントピラーの下端部よりも前方に位置せしめ、
上記サイドボデーの上縁には、上記フロントピラーの下端部よりも前方位置で上方へ突出する嵩上げ部材を設けてこれに窓ガラス保持部材を取付け、
上記窓ガラスの前端部を、これに設けた係止手段により上記窓ガラス保持部材に係止保持せしめたことを特徴とする自動車の固定窓構造。
【請求項２】
上記窓ガラスの保持部材は上記窓ガラスの前端部と対向する位置で上記嵩上げ部材に設けた取付部材を介して上記嵩上げ部材に取付けるようになし、該取付部材にはその縦面部に開口部を形成し、該開口部に上記窓ガラス保持部材を嵌合係止せしめた請求項1に記載の自動車の固定窓構造。
【請求項３】
上記窓ガラス保持部材は硬質の合成樹脂またはゴムからなる厚肉のブロック体で、上記取付部材の開口部に嵌合係止する基部と、車外側に開口する係止穴と、車外方向に膨出する膨出部を備え、
上記窓ガラスにはその前端部に上記係止手段として車内側へ突出するクリップを設け、
上記クリップを上記窓ガラス保持部材の係止穴に嵌合係止せしめて上記窓ガラスの前端部を保持固定せしめるとともに、
上記膨出部を、上記サイドボデーを被覆するフェンダパネルの上記窓ガラスの前端部を囲む周縁部の裏面に当接せしめた請求項１，２に記載の自動車の固定窓構造。
【請求項４】
上記取付部材の開口部はこれを横長状に形成し、その前半部の開口幅を後半部の開口幅よりも狭く形成し、
上記窓ガラス保持部材の基部はその厚さを上記開口部の後半部に挿入可能な寸法とするとともに、上記基部には上面および下面に前後方向に延びる溝を形成して溝形成部の厚さを小さくし、
上記窓ガラス保持部材は、その基部を上記開口部の後半部に挿入し、前方へ移動させて溝形成部を開口部の前半部に嵌入させて係止せしめるとともに、上記膨出部を上記フェンダパネルの周縁部の裏面側に入り込ませて当接せしめるようになした請求項３に記載の自動車の固定窓構造。
【発明の詳細な説明】
【技術分野】
【０００１】
本発明は自動車のフロントピラーの下部とサイドボデーとの間に三角形状の窓ガラスを嵌め込んだ固定窓の構造に関する。
【背景技術】
【０００２】
従来、自動車には、図５に示すように、フロントピラー１の下部とサイドボデー２との間に固定窓３Ａが設けられたものがある。傾斜姿勢のフロントピラー１は下端部１０でく字形に下方へ屈曲してサイドボデー２の後部に接続しており、固定窓３Ａは傾斜状のフロントピラー1の下縁と水平なサイドボデー２の後部上縁とでほぼ三角形状の窓開口３０が形成され、窓ガラス４Ａで遮蔽されている。窓ガラス４Ａは窓開口３０の周縁の窓枠３１と重なる大きさのほぼ三角形状をなし、前端と後端の上下位置に設けられてガラス裏面から車内側へ突出するピン状のクリップ４１，４２，４３を窓枠３１の係止穴に嵌合して位置決めしつつ、ガラス裏面の外周を窓枠３１に接着固定している。
【０００３】
サイドボデー2の車外面を被覆するフェンダパネル５には上部後端にフロントピラー1の下端部１０を被覆する突出部５０が形成され、突出部５０の根元の周縁はフロントピラー１の下端部１０に固定された湾曲形状の窓ガラス４Ａの前端部に沿うように湾曲し、後縁５２が取付部５４でサイドボデー２の後端にボルト締めされている。
エンジンルームの側面を形成するサイドボデー２の前部は後部よりも低く上縁にエプロンアッパメンバアッパ６が設けられ、その上に設けた嵩上げ部材６０上にはエンジンフード用のヒンジブラケット８０が設けられている。そしてエプロンアッパメンバ６の上縁後部５３がヒンジブラケット８０を利用してこれにボルト締めされる。
【０００４】
またフェンダパネル５は、突出部５０の取付安定性を図るため、下記特許文献1，2に記載されたように、固定窓３Ａ側へ突出する係止片５５を設けてこれを窓枠３１にクリップ止めまたはボルト締めすることが行なわれている。特許文献１，２はいずれも、フェンダパネル５修理時に窓ガラス４Ａを外すことなくフェンダパネル５の脱着ができるように工夫されている。
【特許文献１】特開２００５−９６５０２号公報
【特許文献２】特開２００５−１４１７号公報
【発明の開示】
【発明が解決しようとする課題】
【０００５】
ところで従来の固定窓３Ａでは一般に、窓ガラス４Ａの前端部をフロントピラー１の下端部１０に合わせて形状を湾曲状とし、下端部１０にクリップ止めしている。このため傾斜角が緩やかなフロントピラー１に対して、固定窓３Ａの前端部は湾曲形状が大きく調和がとれず見栄えが良いとは言えない。
【０００６】
そこで図５の仮想線で示すように、窓ガラスの前端部を先細り状で直線状に前方へ延長する形状とすることでフロントピラー１との調和をとることが考えられる。
【０００７】
しかしながらこのようにすると、窓ガラスの前端部がクリップ止めしたフロントピラー１の下端部１０よりも前方へ延びて、人が延長した窓ガラスの前端部に手などをかけたときに窓ガラスの前端部がグラグラして安定感がない。
また窓ガラスの前端部を前方へ延出させると、これを囲んで廻り込むフェンダパネル５の突出部５０の周縁長も長くなって該周縁部の安定性を低下させる。
【０００８】
そこで本発明は、自動車の三角形状の固定窓を、その前端部を傾斜状のフロントピラーと調和するように前方へ延出させて固定窓の見栄えをよくするとともに、延出させた前端部を安定に保持する構造とすること、併せて延出させた固定窓の前端部まわりのフェンダパネルの周縁部を安定に保持する構造とすることを課題としてなされたものである。
【課題を解決するための手段】
【０００９】
本発明は、傾斜状で、下端部が下方へ向けて屈曲するフロントピラーと、サイドボデー後部の水平な上縁との間にほぼ三角形状の窓ガラスを嵌め込んだ固定窓を備えた自動車の固定窓構造において、上記窓ガラスの前端部を、上記フロントピラーに沿って前方へ延びる傾斜上縁と上記サイドボデー後部の上縁に沿って前方へ延びる水平下縁とで先細り状に前方へ延出する形状に形成して上記前端部を上記フロントピラーの下端部よりも前方に位置せしめる。上記サイドボデーの上縁には、上記フロントピラーの下端部よりも前方位置で上方へ突出する嵩上げ部材を設けてこれに窓ガラス保持部材を取付ける。上記窓ガラスの前端部を、これに設けた係止手段により上記窓ガラス保持部材に係止保持せしめる（請求項１）。
窓ガラスの前端部を前方へ延長して固定窓の前端部を前方へ延長したので傾斜状のフロントピラーとの調和がとれて固定窓の見栄えをよくすることができる。またフロントピラーの下端部よりも前方へ延びる窓ガラスの前端部に設けた係止手段をサイドボデーの嵩上げ部材に取付けた窓ガラス保持部材に係止したので窓ガラスの前端部を安定して保持できる。
【００１０】
上記窓ガラス保持部材は上記窓ガラスの前端部と対向する位置で上記嵩上げ部材に設けた取付部材を介して上記嵩上げ部材に取付けるようになし、該取付部材にはその縦面部に開口部を形成し、該開口部に上記窓ガラス保持部材を嵌合係止せしめる（請求項２）。
サイドボデー側に、その嵩上げ部材に設けた取付部材を介して窓ガラス保持部材を好適に取付けることができる。
【００１１】
上記窓ガラス保持部材は硬質の合成樹脂またはゴムからなる厚肉のブロック体で、上記取付部材の開口部に嵌合係止する基部と、車外側に開口する係止穴と、車外方向に膨出する膨出部を備えている。上記窓ガラスにはその前端部に上記係止手段として車内側へ突出するクリップを設ける。上記クリップを上記窓ガラス保持部材の係止穴に嵌合係止せしめて上記窓ガラスの前端部を保持固定せしめるとともに、上記膨出部を、上記サイドボデーを被覆するフェンダパネルの上記窓ガラスの前端部を囲む周縁部の裏面に当接せしめる（請求項３）。
窓ガラス保持部材は、その係止穴に窓ガラスの前端部のクリップを嵌合係止することで窓ガラスの前端部を安定に保持する。また窓ガラス保持部材はその膨出部をフェンダパネルの上記窓ガラスの前端部を囲む周縁部の裏面に当接せしめたので、フェンダパネルの上記周縁部を安定して支えることができる。
【００１２】
上記取付部材の開口部はこれを横長状に形成し、その前半部の開口幅を後半部の開口幅よりも狭く形成する。上記窓ガラス保持部材の基部はその厚さを上記開口部の後半部に挿入可能な寸法とするとともに、上記基部には上面および下面に前後方向に延びる溝を形成して溝形成部の厚さを小さくする。上記窓ガラス保持部材は、その基部を上記開口部の後半部に挿入し、前方へ移動させて溝形成部を開口部の前半部に嵌入させて係止せしめるとともに、上記膨出部を上記フェンダパネルの周縁部の裏面側に入り込ませて当接せしめる（請求項４）。
窓ガラス保持部材はその基部を、取付部材の開口部の開口幅の大きい後半部から挿入して前方へ移動させて開口幅の狭い前半部へ嵌入係止するようにしたので、膨出部を好適にフェンダパネルの周縁部の裏面に当接せしめ、周縁部を安定して支持することができる。
【発明を実施するための最良の形態】
【００１３】
図1、図２に示すように、自動車の側面には、フロントドア開口前縁を構成する前下がり傾斜状のフロントピラー１の下部と、車体前部の側面をなすサイドボデー２の後部、およびサイドボデー２の車外側を被覆するフェンダパネル５とで囲まれた位置に固定の窓ガラス４を嵌め込んだ固定窓３が設けてある。尚、固定窓３の周辺構造は従来構造と同じで、図において同一部材は同一符号で表す。
【００１４】
フロントピラー１は、傾斜状のピラー本体の下端からほぼ垂直下方へ屈曲せしめた下端部１０が形成してあり、下端部１０がサイドボデー２の後部の縦方向に延びる柱状の骨格部のほぼ水平な上縁と結合してある。フロントピラー１とサイドボデー２の骨格部との間には、上記ピラー本体の下縁フランジと、サイドボデー２の後部骨格部の上縁フランジ、およびこれらの後端間を上下方向ほぼ垂直につないだ縦フレームとからなる窓枠３１で囲まれた直角三角形状をなす窓開口３０が形成してある。そして窓開口３０にはこれを塞ぐ窓ガラス４が設けてある。
【００１５】
窓ガラス４は窓開口３０よりもひとまわり大きい直角三角形状に形成してある。窓ガラス４の前端部４０は、フロントピラー１の本体の傾斜に沿う前下がり傾斜状のガラス上縁の前端と、サイドボデー２の上縁に沿って前後方向に水平状に延びるガラス下縁の前端とがほぼ鋭角湾曲状に交わるように従来の窓ガラス４Ａ（図６）よりも前方へ先細りに延ばし、フロントピラー１の下端部１０よりも前方へ延長してある。
【００１６】
窓ガラス４は窓開口３０に対応する中間部が透明で、ガラス上辺、底辺および後辺に沿う外周裏面に黒色の薄いセラミック板４５を貼付けて不透明としてあり、不透明部により窓枠３１の車外側を覆い隠すようにしている。また外周縁はゴム製のガラスモール４６で被覆してある。
窓ガラス４は、従来構造と同様に、ガラス後端の上下位置、およびフロントピラー１の下端部１０に対応する中間部前寄りの位置に設けたクリップ４２，４３，４１を窓枠３１の係止穴に嵌合して位置決めしつつ、外周裏面を窓枠３１に接着固定している。また窓ガラス４の前端部４０では、裏面側に係止手段たるクリップ４４を設けるとともに、サイドボデー２側に窓ガラス保持部材７を介してクリップ止めしてある。
【００１７】
前方へ延長した窓ガラス４の前端部４０に対応して、フェンダパネル５はその上縁後端から後方かつ斜め上方へ突出してフロントピラー１の下端部１０を被覆する傾斜状の突出部５０と、サイドボデー２を覆うフェンダパネル５の後縁５２の上端との間で、窓ガラス４の前端部４０を廻り込む突出部５０の根元の周縁部(以下、単に周縁部という)５６が、窓ガラス４の前端部４０に沿って前方へ向けて上下幅を先細りとなす鋭角Ｖ字状に形成してある。
尚、フェンダパネル５は上縁後部および後縁５２上端の取付部５３，５４をヒンジブラケット８０およびサイドボデー２にボルト締めするとともに、突出部５０の係止片５５をフロントピラー１の下端部１０に設けた係合部材に係止してある。
【００１８】
以下、窓ガラス４の前端部４０のクリップ止め構造について説明する。サイドボデー２の前側にはフロントピラー１の下端部１０よりも低い位置に、エンジンルームの側壁上縁に沿って前後方向に延びるエプロンアッパメンバ６が設けられ、その後端がサイドボデー２の上記骨格部に結合してある。
エプロンアッパメンバ６の後部上面には、エンジンフードをヒンジ結合するヒンジブラケット８０をエプロンアッパメンバ６よりも高い位置に設置するように嵩上げ部材６０が載置してある。嵩上げ部材６０は下方へ開口する断面ほぼコ字形で、左右の側壁下縁をエプロンアッパメンバ６の上面に接合してある。嵩上げ部材６０の高さ位置は固定窓３の前部よりも若干低い。
【００１９】
嵩上げ部材６０の上面には上記ヒンジブラケット８０の他に、固定窓３の前部に対応する車内側位置に、上記窓ガラス保持部材７を支持する取付部材たる取付ブラケット６１が載置してある。取付ブラケット６１は前後方向に沿って固定窓３の前部と対面する縦面部を備えた断面ほぼＬ字形の金属板で、底面部が嵩上げ部材６０の上面に溶接してある。取付ブラケット６１の前後の端縁には底面部から縦面部にかけて補強リブが形成してある。
取付ブラケット６１の縦面部は前後中間部に段部を備え、段部前側の前半部が後半部よりも車外側に設けてある。縦面部にはその前半部から後半部にかけて前後方向（横方向）に長い取付開口６２が形成してある。取付開口６２は上下幅を狭くした取付開口６２前半部に対して上記段差を境に後半部の上下幅が大きくしてある。
【００２０】
図１（Ｂ）、図３、図４に示すように、窓ガラス保持部材７は合成樹脂成形品またはゴムからなるブロック体で、角形の基部７０とその後端の係止穴７１と、基部７０の前端から車外側へ突出する膨出部７２とが一体に成形してある。
基部７０は上下幅が取付ブラケット６１の取付開口６２の後半部の幅よりも若干狭くしてある。また基部７０にはその上面および下面にそれぞれ、幅の狭い取付開口６２の前半部に対応して、取付開口６２前半部の開口縁と嵌合する係合溝７３，７３を設けて上下幅を小さくした溝形成部７４が形成してある。
【００２１】
窓ガラス保持部材７の係止穴７１は基部７０の後端を貫通し、内奥部にはテーパー状の係止部を備え穴径が縮小してある。
膨出部７２の厚みは、車幅方向に間隔を置いて対向するフェンダパネル５の周縁５６と取付ブラケット６１との上記間隔に合わせて形成してある。また膨出部７２の先端にはこれを覆うようにスポンジなどの弾性部材が接着してある。
【００２２】
窓ガラス保持部材７は、取付ブラケット６１の取付開口６２の後半部側から基部７０を挿入し、前方へ移動させて基部７０の溝成形部７４を取付開口６２の前半部に嵌入しつつ、膨出部７２をフェンダパネル５の周縁部５６と取付ブラケット６１との対向間隔内に差し入れて設置してある。これにより、スポンジ材で被覆した膨出部７２の先端をフェンダパネル５の周縁部５６に車内側から当接してある。
【００２３】
窓ガラス４の前端部４０に設けたクリップ４４は、円柱状に車内側へ突出する軸部を備え、その基端がガラス内面に設けたセラミック板４５に固着してある。クリップ４４は軸部の中間部の軸径を細くするとともに先端に窓ガラス保持部材７の係止穴６１のこれを小径とする係合部に対応して、軸径をテーパー状に拡径した先端係止部が形成してある。
【００２４】
窓ガラス４は、他のクリップ４１，４２，４３を窓枠３１の係止穴に嵌合すると同時に、前端部４０のクリップ４４を車外側から車体に取付けた窓ガラス保持部材７の係止穴７１に差込んで先端係止部を係止穴７１の内奥の係合部に係止してある。また窓ガラス４は外周を窓枠３１の全周に沿って接着剤で接着してある。
【００２５】
本実施形態によれば、窓ガラス４の前端部４０を前方へ延長し、これに沿ってフェンダパネル５の周縁部５６を前方へ先細りとなす鋭角Ｖ字状に形成することで、固定窓３の前部をフロントピラー１の傾斜姿勢に沿うように先細りに前方へ延長し、前部の湾曲形状を従来構造よりも小さくしたので、外観上、フロントピラー１との調和がとれて見栄えが良好となる。
【００２６】
この場合、窓ガラス４の前端部４０はフロントピラー１の下端部１０よりも前側の位置となるが、窓ガラスの前端部４０の裏面にクリップ４４を設け、これを車体側に取付ブラケット６１を介して設置した窓ガラス保持部材７の係止穴７２に嵌合したので、窓ガラス４の前端部４０を安定に保持でき、車外側から人が手等をついてもグラグラしない。
【００２７】
また窓ガラス保持部材７の膨出部７２を車内側からフェンダパネル５の周縁５６に当接せしめたので周縁５６の安定性も確保することができる。
一般に車体の製造工程において、フェンダパネル５は、窓ガラス保持部材７を車体側へ設置する前に車体に組付けられており、その周縁５６は取付ブラケット６１と間隔をおいて対向している。これに対して、窓ガラス保持部材７は、取付ブラケット６１の後半部側から前方へ移動させ、膨出部７２を上記間隙内へ挿入して車内側から周縁５６に当接せしめるようにしたので、当接作業が容易にできる。
また軽い接触事故等によりフェンダパネルを修理する場合、フェンダパネルの脱着作業は従来と同様に窓ガラス４を外さずに済む。
【００２８】
上述の実施形態では、嵩上げ部材６０に窓ガラス保持部材７を設置する別体の取付ブラケット６１を設けたが、これに限らず、嵩上げ部材６０に一体に設けてもよい。
【図面の簡単な説明】
【００２９】
【図１】本発明の自動車の固体窓構造を示すもので、図１（Ａ）は固定窓の斜視図、図１（Ｂ）は図１（Ａ）のIB−IB線に沿う断面図である。
【図２】上記固定窓構造の窓ガラスの無い状態での固定窓の前部を示す要部拡大図である。
【図３】図１（Ｂ）に対応して、上記固定窓構造の組付け手順を示す断面図である。
【図４】図３のIV−IV線に沿う位置で取付ブラケットに窓ガラス保持部材を設置した状態の断面図である。
【図５】従来の固定窓構造を示す側面図である。
【符号の説明】
【００３０】
１  フロントピラー
１０  下端部
２  サイドボデー
３  固定窓
４  窓ガラス
４０  前端部
４４  クリップ（係止手段）
５  フェンダパネル
５０  突出部
５６  周縁部
６  エプロンアッパメンバ
６０  嵩上げ部材
６１  取付ブラケット（取付部材）
６２  取付開口（開口部）
７  窓ガラス保持部材
７０  基部
７１  係止穴
７２  膨出部
７３  係合溝（溝）
７４  溝形成部
【図１】
2008285057.tif 000003
【図２】
2008285057.tif 000004
【図３】
2008285057.tif 000005
【図４】
2008285057.tif 000006
【図５】
2008285057.tif 000007